(57)【特許請求の範囲】
【請求項１】
プライマリセルとして第１セルを用い、セカンダリセルとして第２セルを用いて、ＣＡ（Ｃａｒｒｉｅｒ  Ａｇｇｒｅｇａｔｉｏｎ）通信を行っている場合に、プライマリセルを第３セルに切り替えるように指示するハンドオーバ指示信号を受信するように構成されている受信部と、
前記ハンドオーバ指示信号が、さらに前記第２セルをセカンダリセルとして設定するように指示している場合に、該第２セルをアクティブ状態のセカンダリセルとして設定するように構成されている管理部とを具備することを特徴とする移動局。
【請求項２】
前記第１セル、前記第２セル及び前記第３セルは、同一の無線基地局配下のセルであることを特徴とする請求項１に記載の移動局。
【請求項３】
前記第１セルは、第１無線基地局配下のセルであり、
前記第３セルは、第２無線基地局配下のセルであり、
前記第２セルは、前記第１無線基地局配下のセルであり、かつ、前記第２無線基地局配下のセルであることを特徴とする請求項１に記載の移動局。
【請求項４】
プライマリセルとして第１無線基地局配下の第１セルを用い、セカンダリセルとして該第１無線基地局配下の第２セルを用いて、ＣＡ（Ｃａｒｒｉｅｒ  Ａｇｇｒｅｇａｔｉｏｎ）通信を行っている移動局が、プライマリセルを第２無線基地局配下の第３セルに切り替えるように指示するハンドオーバ指示信号を受信する工程と、
前記ハンドオーバ指示信号が、さらに前記第２セルをセカンダリセルとして設定するように指示している場合に、前記移動局が、該第２セルをアクティブ状態のセカンダリセルとして設定する工程と、
前記第１無線基地局が、前記第２無線基地局に対して、前記移動局宛ての下りデータを転送する工程と、
前記第１無線基地局が、前記移動局宛ての下りデータの転送が完了した場合に、前記第２無線基地局に対して、転送完了通知信号を送信する工程と、
前記第２無線基地局が、前記転送完了通知信号を受信した場合に、前記移動局に対して、セカンダリセルとして設定されている前記第２セルを削除するように指示する工程とを有することを特徴とする移動通信方法。
【発明の詳細な説明】
【技術分野】
【０００１】
本発明は、移動局及び移動通信方法に関する。
【背景技術】
【０００２】
図６に示すように、ＬＴＥ（Ｌｏｎｇ  Ｔｅｒｍ  Ｅｖｏｌｕｔｉｏｎ）-Ａｄｖａｎｃｅｄ方式の移動通信システムでは、移動局ＵＥは、無線基地局ｅＮＢ＃１配下で、ＰＣＣ（Ｐｒｉｍａｒｙ  Ｃｏｍｐｏｎｅｎｔ  Ｃａｒｒｉｅｒ、主キャリア）におけるサービングセルであるＰｃｅｌｌとしてマクロセル＃１を用い、ＳＣＣ（Ｓｅｃｏｎｄａｒｙ  Ｃｏｍｐｏｎｅｎｔ  Ｃａｒｒｉｅｒ、副キャリア）におけるサービングセルであるＳｃｅｌｌとしてピコセル＃１を用いて、ＣＡ（Ｃａｒｒｉｅｒ  Ａｇｇｒｅｇａｔｉｏｎ、キャリアアグリゲーション）通信を行うことができる。
【０００３】
ここで、移動局ＵＥのＰｃｅｌｌを無線基地局ｅＮＢ＃１配下のマクロセル＃１から無線基地局ｅＮＢ＃２配下のマクロセル＃２に切り替えるハンドオーバ手順が行われる場合、移動局ＵＥは、無線基地局ｅＮＢ＃１配下でＳｃｅｌｌとして設定されていたピコセル＃１を削除する。
【０００４】
具体的には、図７のステップ７に示すように、かかる移動局ＵＥは、「ＲＲＣ  Ｃｏｎｎｅｃｔｉｏｎ  Ｒｅｃｏｎｆｉｇｕｒａｔｉｏｎ」に含まれる「ｍｏｂｉｌｉｔｙＣｏｎｔｒｏｌＩｎｆｏｒｍａｔｉｏｎ」に応じて、無線基地局ｅＮＢ＃１配下でＳｃｅｌｌとして設定されていたピコセル＃１を削除する。
【０００５】
また、かかる移動局ＵＥは、「ＲＲＣ  Ｃｏｎｎｅｃｔｉｏｎ  Ｒｅｃｏｎｆｉｇｕｒａｔｉｏｎ」に含まれる「ｍｏｂｉｌｉｔｙＣｏｎｔｒｏｌＩｎｆｏｒｍａｔｉｏｎ」によって、無線基地局ｅＮＢ＃２配下でＳｃｅｌｌとしてピコセル＃１を設定するように指示された場合、無線基地局ｅＮＢ＃２配下で、かかるピコセル＃１を非アクティブ状態（ｄｅａｃｔｉｖａｔｅｄ状態）で設定する。
【０００６】
また、図８に示すように、ＬＴＥ-Ａｄｖａｎｃｅｄ方式の移動通信システムにおいて、無線基地局ｅＮＢ＃１配下のマクロセル＃１とマクロセル＃２との境界付近にピコセル＃１が設置されている場合には、移動局ＵＥのＰｃｅｌｌをマクロセル＃１からマクロセル＃２に切り替えるハンドオーバ手順を行った後も、ピコセル＃１をＳｃｅｌｌとして継続して使用することができる。
【先行技術文献】
【非特許文献】
【０００７】
【非特許文献１】３ＧＰＰ  ＴＳ３６.３００
【発明の概要】
【発明が解決しようとする課題】
【０００８】
しかしながら、従来のＬＴＥ-Ａｄｖａｎｃｅｄ方式の移動通信システムでは、図８に示すように、ピコセル＃１が、同一の無線基地局ｅＮＢ＃１で提供されるマクロセル＃１とマクロセル＃２との境界付近に設置されている場合であっても、移動局ＵＥのＰｃｅｌｌをマクロセル＃１からマクロセル＃２に切り替えるハンドオーバ手順が行われている間は、Ｓｃｅｌｌ（ピコセル＃１）が非アクティブ状態で設定されているため、移動局ＵＥは、かかるＳｃｅｌｌ（ピコセル＃１）を介して、移動局ＵＥ宛ての下りデータを受信することができないという問題点があった。
【０００９】
そこで、本発明は、上述の課題に鑑みてなされたものであり、ＣＡ通信中に行うＰｃｅｌｌを切り替えるハンドオーバ手順中に、Ｓｃｅｌｌを介して下りデータを受信することができる移動局及び移動通信方法を提供することを目的とする。
【課題を解決するための手段】
【００１０】
本発明の第１の特徴は、移動局であって、プライマリセルとして第１セルを用い、セカンダリセルとして第２セルを用いて、ＣＡ通信を行っている場合に、プライマリセルを第３セルに切り替えるように指示するハンドオーバ指示信号を受信するように構成されている受信部と、前記ハンドオーバ指示信号が、さらに前記第２セルをセカンダリセルとして設定するように指示している場合に、該第２セルをアクティブ状態のセカンダリセルとして設定するように構成されている管理部とを具備することを要旨とする。
【００１１】
本発明の第２の特徴は、移動通信方法であって、プライマリセルとして第１無線基地局配下の第１セルを用い、セカンダリセルとして該第１無線基地局配下の第２セルを用いて、ＣＡ通信を行っている移動局が、プライマリセルを第２無線基地局配下の第３セルに切り替えるように指示するハンドオーバ指示信号を受信する工程と、前記ハンドオーバ指示信号が、さらに前記第２セルをセカンダリセルとして設定するように指示している場合に、前記移動局が、該第２セルをアクティブ状態のセカンダリセルとして設定する工程と、前記第１無線基地局が、前記第２無線基地局に対して、前記移動局宛ての下りデータを転送する工程と、前記第１無線基地局が、前記移動局宛ての下りデータの転送が完了した場合に、前記第２無線基地局に対して、転送完了通知信号を送信する工程と、前記第２無線基地局が、前記転送完了通知信号を受信した場合に、前記移動局に対して、セカンダリセルとして設定されている前記第２セルを削除するように指示する工程とを有することを要旨とする。
【発明の効果】
【００１２】
以上説明したように、本発明によれば、ＣＡ通信中に行うＰｃｅｌｌを切り替えるハンドオーバ手順中に、Ｓｃｅｌｌを介して下りデータを受信することができる移動局及び移動通信方法を提供することができる。
【図面の簡単な説明】
【００１３】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を説明するための図である。
【図４】本発明の第２の実施形態に係る無線基地局の機能ブロック図である。
【図５】本発明の第２の実施形態に係る移動通信システムの動作を示すシーケンス図である。
【図６】従来の移動通信システムについて説明するための図である。
【図７】従来の移動通信システムについて説明するための図である。
【図８】従来の移動通信システムについて説明するための図である。
【発明を実施するための形態】
【００１４】
（本発明の第１の実施形態に係る移動通信システム）
図１及び図５を参照して、本発明の第１の実施形態に係る移動通信システムについて説明する。
【００１５】
図１に示すように、本実施形態に係る移動通信システムは、ＬＴＥ-Ａｄｖａｎｃｅｄ方式をサポートするものであって、ＣＡを行うことができるように構成されている。
【００１６】
図１に示すように、本実施形態に係る移動通信システムには、セル＃Ａと、セル＃Ｂと、セル＃１が設置されている。ここで、セル＃１は、セル＃Ａとセル＃Ｂとの境界付近に設置されている。
【００１７】
なお、セル＃Ａ及びセル＃Ｂは、同一の無線基地局（例えば、無線基地局ｅＮＢ＃１）によって管理されていてもよいし、異なる無線基地局（例えば、無線基地局ｅＮＢ＃１及びｅＮＢ＃２）によって管理されていてもよい。
【００１８】
また、セル＃１は、無線基地局ｅＮＢ＃１によって管理されていてもよいし、無線基地局ｅＮＢ＃１及びｅＮＢ＃２によって管理されていてもよい。
【００１９】
本実施形態では、セル＃Ａ及びセル＃Ｂは、同一の無線基地局ｅＮＢ＃１によって管理されており、セル＃１は、無線基地局ｅＮＢ＃１によって管理されているものとする。
【００２０】
ここで、セル＃Ａ及びセル＃Ｂは、広いエリアをサポートするカバレッジバンド内の周波数キャリアによって運用されているセル（例えば、マクロセル）である。
【００２１】
一方、セル＃１は、セル＃Ａ及びセル＃Ｂのカバーエリア内に配置されており、ホットスポットにおいてスループットを改善させるためのキャパシティバンド内の周波数キャリアによって運用されているセル（例えば、ピコセル）である。
【００２２】
また、本実施形態では、図１に示すように、移動局ＵＥは、セル＃ＡをＰｃｅｌｌとして設定し、セル＃１をＳｃｅｌｌとして設定している状態から、セル＃ＢをＰｃｅｌｌとして設定し、セル＃１をＳｃｅｌｌとして設定している状態に遷移するハンドオーバ手順を行うケースを想定するものとする。
【００２３】
移動局ＵＥは、ＬＴＥ-Ａｄｖａｎｃｅｄ方式に対応しており、図２に示すように、受信部１１と、管理部１２とを具備している。
【００２４】
受信部１１は、無線基地局ｅＮＢによって送信される各種信号を受信するように構成されている。
【００２５】
例えば、移動局ＵＥが、ＣＡ通信を行っている場合に、受信部１１は、Ｐｃｅｌｌを切り替えるように指示する「ｍｏｂｉｌｉｔｙＣｏｎｔｒｏｌＩｎｆｏｒｍａｔｉｏｎ（ハンドオーバ指示信号）」を含む「ＲＲＣ  Ｃｏｎｎｅｃｔｉｏｎ  Ｒｅｃｏｎｆｉｇｕｒａｔｉｏｎ」を受信するように構成されている。
【００２６】
管理部１２は、ＣＡ通信で用いるＰｃｅｌｌ及びＳｃｅｌｌについて管理するように構成されている。
【００２７】
例えば、移動局ＵＥが、Ｐｃｅｌｌとしてセル＃Ａ１を用い、Ｓｃｅｌｌとしてセル＃１を用いて、ＣＡ通信を行っている場合で、かつ、受信部１１によって受信された「ｍｏｂｉｌｉｔｙＣｏｎｔｒｏｌＩｎｆｏｒｍａｔｉｏｎ」が、Ｐｃｅｌｌをセル＃Ｂに切り替えるように指示し、ピコセル＃１をＳｃｅｌｌとして設定するように指示している場合に、管理部１２は、ピコセル＃１をアクティブ状態のＳｃｅｌｌとして設定するように構成されている。
【００２８】
その結果、無線基地局ｅＮＢ＃２は、上述の移動局ＵＥのＰｃｅｌｌを切り替えるハンドオーバ手順が行われている間であっても、Ｓｃｅｌｌ（ピコセル＃１）を介して、移動局ＵＥ宛ての下りデータ（Ｕ-ｐｌａｎｅデータ）を送信することができる。
【００２９】
以下、図３を参照して、本実施形態に係る移動局ＵＥの動作について説明する。
【００３０】
図３に示すように、移動局ＵＥは、ＣＡ通信を行っている場合に、ステップＳ１０１において、移動局ＵＥのＰｃｅｌｌの切り替えを指示する「ｍｏｂｉｌｉｔｙＣｏｎｔｒｏｌＩｎｆｏｒｍａｔｉｏｎ」を含む「ＲＲＣ  Ｃｏｎｎｅｃｔｉｏｎ  Ｒｅｃｏｎｆｉｇｕｒａｔｉｏｎ」を受信すると、ステップＳ１０２において、かかる「ｍｏｂｉｌｉｔｙＣｏｎｔｒｏｌＩｎｆｏｒｍａｔｉｏｎ」が、Ｓｃｅｌｌを設定するように指示しているか否かについて判定する。
【００３１】
ＹＥＳの場合、本動作は、ステップＳ１０３に進み、ＮＯの場合、本動作は、Ｐｃｅｌｌの切り替え処理を行った上で、終了する。
【００３２】
ステップＳ１０３において、移動局ＵＥは、Ｐｃｅｌｌを切り替える前に、「ｍｏｂｉｌｉｔｙＣｏｎｔｒｏｌＩｎｆｏｒｍａｔｉｏｎ」によって指示されたＳｃｅｌｌが設定されていたか否かについて判定する。
【００３３】
ＹＥＳの場合、本動作は、ステップＳ１０４に進み、ＮＯの場合、本動作は、ステップＳ１０５に進む。
【００３４】
ステップＳ１０４において、移動局ＵＥは、Ｐｃｅｌｌの切り替え処理を行うと共に、上述の「ｍｏｂｉｌｉｔｙＣｏｎｔｒｏｌＩｎｆｏｒｍａｔｉｏｎ」によって設定するように指示されているＳｃｅｌｌをアクティブ状態（ａｃｔｉｖａｔｅｄ状態）で設定する。
【００３５】
一方、ステップＳ１０５において、移動局ＵＥは、Ｐｃｅｌｌの切り替え処理を行うと共に、上述の「ｍｏｂｉｌｉｔｙＣｏｎｔｒｏｌＩｎｆｏｒｍａｔｉｏｎ」によって設定するように指示されているＳｃｅｌｌを非アクティブ状態で設定する。
【００３６】
本実施形態に係る発明によれば、ＣＡ通信を行っている移動局ＵＥは、移動局ＵＥのＰｃｅｌｌを切り替えるハンドオーバ手順において受信した「ｍｏｂｉｌｉｔｙＣｏｎｔｒｏｌＩｎｆｏｒｍａｔｉｏｎ」が、Ｐｃｅｌｌの切り替え前にＳｃｅｌｌとして設定されていたセルと同一のセルをＳｃｅｌｌとして設定するように指示している場合には、かかるＳｃｅｌｌをアクティブ状態で設定するように構成されているため、かかるハンドオーバ手順中に、かかるＳｃｅｌｌを介して、移動局ＵＥ宛ての下りデータを受信することができる。
【００３７】
（本発明の第２の実施形態に係る移動通信システム）
図４及び図５を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００３８】
なお、本実施形態では、セル＃Ａは、無線基地局ｅＮＢ＃１によって管理されており、セル＃Ｂは、無線基地局ｅＮＢ＃２によって管理されており、セル＃１は、無線基地局ｅＮＢ＃１及びｅＮＢ＃２によって管理されているものとする。
【００３９】
また、本実施形態では、図１に示すように、移動局ＵＥが、セル＃ＡをＰｃｅｌｌとして設定し、セル＃１をＳｃｅｌｌとして設定している状態から、セル＃ＢをＰｃｅｌｌとして設定し、セル＃１をＳｃｅｌｌとして設定している状態に遷移するハンドオーバ手順を行うケースを想定するものとする。
【００４０】
ここで、無線基地局ｅＮＢ＃１の構成及び無線基地局ｅＮＢ＃２の構成は、基本的に同一であるため、以下、代表して、無線基地局ｅＮＢ＃２の構成について説明する。
【００４１】
図４に示すように、無線基地局ｅＮＢ＃２は、受信部２１と、送信部２２とを具備している。
【００４２】
受信部２１は、移動局ＵＥや無線基地局ｅＮＢ＃１によって送信される各種信号を受信するように構成されており、送信部２２は、移動局ＵＥや無線基地局ｅＮＢ＃１に対して各種信号を送信するように構成されている。
【００４３】
例えば、受信部２１は、上述のハンドオーバ手順において、無線基地局ｅＮＢ＃１によって転送された移動局ＵＥ宛ての下りデータを受信するように構成されている。
【００４４】
また、図５に示すように、受信部２１が、無線基地局ｅＮＢ＃１による移動局ＵＥ宛ての下りデータの転送が完了したことを示す「Ｅｎｄ  Ｍａｋｅｒ（転送完了通知信号）」を受信した場合（ステップＡ）、送信部２２は、移動局ＵＥに対して、Ｓｃｅｌｌとして設定されているセル＃１を削除するように指示する「ＲＲＣ  Ｃｏｎｎｅｃｔｉｏｎ  Ｒｅｃｏｎｆｉｇｕｒａｔｉｏｎ」を送信するように構成されている（ステップＢ）。
【００４５】
以上に述べた本実施形態の特徴は、以下のように表現されていてもよい。
【００４６】
本実施形態の第１の特徴は、移動局ＵＥであって、Ｐｃｅｌｌ（プライマリセル）としてセル＃Ａ（第１セル）を用い、Ｓｃｅｌｌ（セカンダリセル）としてセル＃１（第２セル）を用いて、ＣＡ通信を行っている場合に、Ｐｃｅｌｌをセル＃Ｂ（第３セル）に切り替えるように指示する「ｍｏｂｉｌｉｔｙＣｏｎｔｒｏｌＩｎｆｏｒｍａｔｉｏｎ（ハンドオーバ指示信号）」を受信するように構成されている受信部１１と、かかる「ｍｏｂｉｌｉｔｙＣｏｎｔｒｏｌＩｎｆｏｒｍａｔｉｏｎ」が、さらにセル＃１をＳｃｅｌｌとして設定するように指示している場合に、セル＃１をアクティブ状態のＳｃｅｌｌとして設定するように構成されている管理部１２とを具備することを要旨とする。
【００４７】
本実施形態の第１の特徴において、セル＃Ａ、セル＃１及びセル＃Ｂは、同一の無線基地局ｅＮＢ配下のセルであってもよい。
【００４８】
本実施形態の第１の特徴において、セル＃Ａは、無線基地局ｅＮＢ＃１（第１無線基地局）配下のセルであり、セル＃Ｂは、無線基地局ｅＮＢ＃２（第２無線基地局）配下のセルであり、セル＃１は、無線基地局ｅＮＢ＃１配下のセルであり、かつ、無線基地局ｅＮＢ＃２配下のセルであってもよい。
【００４９】
本実施形態の第２の特徴は、移動通信方法であって、Ｐｃｅｌｌとして無線基地局ｅＮＢ＃１配下のセル＃Ａを用い、Ｓｃｅｌｌとして無線基地局ｅＮＢ＃１配下のセル＃１を用いて、ＣＡ通信を行っている移動局ＵＥが、Ｐｃｅｌｌを無線基地局ｅＮＢ＃２配下のセル＃Ｂに切り替えるように指示する「ｍｏｂｉｌｉｔｙＣｏｎｔｒｏｌＩｎｆｏｒｍａｔｉｏｎ」を受信する工程と、かかる「ｍｏｂｉｌｉｔｙＣｏｎｔｒｏｌＩｎｆｏｒｍａｔｉｏｎ」が、さらにセル＃１をＳｃｅｌｌとして設定するように指示している場合に、移動局ＵＥが、セル＃１をアクティブ状態のＳｃｅｌｌとして設定する工程と、無線基地局ｅＮＢ＃１が、無線基地局ｅＮＢ＃２に対して、移動局ＵＥ宛ての下りデータを転送する工程と、無線基地局ｅＮＢ＃１が、移動局ＵＥ宛ての下りデータの転送が完了した場合に、無線基地局ｅＮＢ＃２に対して、「Ｅｎｄ  Ｍａｋｅｒ（転送完了通知信号）」を送信する工程と、無線基地局ｅＮＢ＃２が、「Ｅｎｄ  Ｍａｋｅｒ」を受信した場合に、移動局ＵＥに対して、Ｓｃｅｌｌとして設定されているセル＃１を削除するように指示する工程とを有することを要旨とする。
【００５０】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００５１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００５３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５４】
ｅＮＢ…無線基地局
ＵＥ…移動局
１１、２１…受信部
１２…管理部
２２…送信部
【図１】
0005865770.tif 000002
【図２】
0005865770.tif 000003
【図３】
0005865770.tif 000004
【図４】
0005865770.tif 000005
【図５】
0005865770.tif 000006
【図６】
0005865770.tif 000007
【図７】
0005865770.tif 000008
【図８】
0005865770.tif 000009